(57)【特許請求の範囲】
【請求項１】
対向して設けた側壁とその上下の縁を連結する頂壁と底壁とを有し、それら頂壁と底壁とを上下方向に貫通させた棒材に取り付けて断面四角形の筒体となし、その棒材の下端部に底壁の下面に配置される支持枠を保持するとともに、上端部を頂壁から上方へ突出させて天井から吊り下げた吊りロッドへ着脱可能に連結してなる空気ダクトの支持装置。
【請求項２】
請求項１において、前記棒材はねじ杆からなり、前記頂壁と底壁とは、ねじ杆に取り付けた止め金の間に挟持され、ねじ杆の下端部には前記支持枠がナットによって保持されている空気ダクトの支持装置。
【発明の詳細な説明】
【０００１】
【産業上の利用分野】
この発明は、除塵、換気に多用される空気ダクトに関するもので、特に、建屋の内部に設置するのに好適な空気ダクト構造に関する。
【０００２】
【従来の技術】
従来、この種の空気ダクトは、図５で示すように、ガラス繊維その他の繊維をビニールなど合成樹脂の薄膜で覆って作られた板状の壁材９１を用い、その壁材の２枚を上下方向に向けて対向させて側壁９１ａとし、それらの上側と下側とに頂壁９１ｂと底壁９１ｃをなす他の２枚を当て、ボルト９４で固定して四角形の筒形に作られている（例えば、特公平７−６５８７号公報）。
このような空気ダクト９０は多数を連結して用いるが、その手法は各空気ダクト９０を直列に並べて手端面を互いに当接させ、その外周を粘着テープで覆うことよって一体化している。そして、天井のスラブから吊り下げられた吊りロッド９２の下端部に袋ナット（図示してない）を螺合して、水平方向に伸びる支持枠９３を支持し、その支持枠９３の上面に前記空気ダクト９０を載せてある。
【０００３】
そして、前記空気ダクト９０を天井に設置するときは、予め、天井から吊りロッド９２の多数を吊り下げておき、これに支持枠９３を取り付けた後、側方から支持枠９３の上へ空気ダクト９０を挿入して支持させる。
【０００４】
【発明が解決しようとする課題】
しかしながら、この種の天井から吊り下げる形式のダクトは、吊りロッド９２と支持枠９３とを結合する作業が多くなり、しかも、この作業の多くが上を向いて行う頭上での作業となるので、作業者の疲労が大きく組立作業が難しい。
【０００５】
また、前記した壁材９１を四角形の筒形の空気ダクト９０に組み立てるボルト９４と、組立てられた空気ダクトを天井から吊り下げる吊りロッド９２とを異なる位置に配してあるため、大略同じ機能を持つ部品を重複して用いることとなり、取り付け構造が複雑になっていた。
【０００６】
上記した課題は、対向して設けた側壁とその上下の縁を連結する頂壁と底壁とを有し、それら頂壁と底壁とを上下方向に貫通させた棒材に取り付けて断面四角形の筒体となし、その棒材の下端部に底壁の下面に配置される支持枠を保持するとともに、上端部を頂壁から上方へ突出させて天井から吊り下げた吊りロッドへ着脱可能に連結することによって解決される。
そこでは、前記棒材はねじ杆からなり、前記頂壁と底壁とは、ねじ杆に取り付けた止め金の間に挟持され、ねじ杆の下端部には前記支持枠がナットによって保持されるのが好ましい。
【０００７】
【作用】
側壁と頂壁戸をなす板材とを、それら頂壁と底壁とを貫通して設けた棒材とスペーサとによって結合して、断面が四角形の筒形をした空気ダクトが作られる。前記棒材は上下端が空気ダクトの外側に突出しているから、下側を支持枠に連結して空気ダクトの剛性を高めるとともに、上側を天井から吊り下げた吊りロッドに掛けて吊り下げる。
【０００８】
【実施例】
以下、図示の実施態様によってこの発明を説明する。図１中、１０はこの発明に係る空気ダクトである。空気ダクト１０は長手方向と直交する断面が、対向して設けた２面の側壁１１ａと、それらの上側を連結する頂壁１１ｂ、および下側を連結する底壁１１ｃとによって四角形の筒形に作られている。なお、それら各壁は断熱材で作られた板状の壁材１１を直角に折り曲げてその一辺を側壁１１ａとし、他の辺を頂壁１１ｂあるいは底壁１１ｃとしてある。
【０００９】
１２は前記頂壁１１ｂと底壁１１ｃとを連結する棒材であり、棒材１２には市販のねじ杆を所定の長さに切断して用いている。棒材１２は空気ダクト１０の幅方向に２列に配置されており、その上端部はターンバックル１３によってフック１４に連結されている。フック１４は欠円形に丸められた上端部１４ａが、天井から吊り下げられた吊りロッド２３の吊り輪２４に掛け止めされる。棒材１２の下端部は底壁１１ｃと、その下面に配置される支持枠１５とを連結する。支持枠１５は軽量形鋼の溝形鋼を所定の長さに切断して用いるが、形を残して材質だけを硬質の合成樹脂に代えることもある。
【００１０】
空気ダクト１０の組み立て構造を図２によってさらに詳しく説明すると、空気ダクト１０をなす壁材１１はガラス繊維その他の繊維質からなる基材１１ｅを板状に成形し、その外面に合成樹脂製の薄い保護膜１１ｆがコーティングしてある。このような壁材１１には両端面に係合凹部１１ｄが設けられるとともに、頂壁１１ｂおよび底壁１１ｃをなす部分には対向する位置にボルト孔１１ｈが予め穿設してある。前記係合凹部１１ｄは隣接する壁材１１の縁を衝合するとき、ラビリンスパッキンを形成して空気の漏洩を少なくする。
【００１１】
これを組み立てるには、まず、壁材１１を略直角に折曲げ、一対となる２個を長手方向の位置を合わせて重ねあわせるが、これに先立って、底壁１１ｃの下面に支持枠１５を当て、ボルト孔１１ｈに円管形のスペーサ１６を挿入し棒材１２を挿通して袋ナット１２ａをかけ、これを挟んで前記繊維質からなる基材１１ｅを座金１７と止め金１８によって挟圧し、図３、図４に示す止めボルト１９によってその状態を保持する。
【００１２】
また、頂壁１１ｂにも同様に、ボルト孔１１ｈに円管形のスペーサ１６を挿入し、これを挟んで上下の座金１７、１７によって基材１１ｅを挟圧し、止め金１８によって挟圧し、止めボルト１９によってその状態を保持する。
【００１３】
上記実施態様によれば、壁材１１を四角形の筒形に保持するための棒材１２の上端を壁材１１から上方へ大きく突出させることにより、棒材１２の先端に設けたフック１４により天井から吊り下げた吊りロッド２３に設けた環状の吊り輪２４に引っ掛けて保持させる。よって、図５における支持構造より簡単な構造となる。なお、ターンバックル１３は前記支持枠１５を水平に保持する調節のために使用されている。
【００１４】
【発明の効果】
空気ダクトは壁材を棒材によって組み立てた後、前記棒材に連なるフックを利用して天井から下がっている吊りロッドに引っ掛けるだけで設置することができるから、設置作業が容易であるとともに、吊り下げに際して空気ダクトを支持する特別な部材を要せず吊り下げ構造が簡単になる。
【図面の簡単な説明】
【図１】図面は本願発明の一実施態様を示すもので、空気ダクトの部分外観図である。
【図２】本願発明の要部を取り出して示す断面図である。
【図３】図２中のＩＩＩ−ＩＩＩ断面図である。
【図４】図２中のＩＶ−ＩＶ断面図である。
【図５】従来の空気ダクトを示す図１相当の外観図である。
【符号の説明】
１０・・・・空気ダクト
１１・・・・壁材
１１ａ・・・側壁
１１ｂ・・・頂壁
１１ｃ・・・底壁
１１ｄ・・・係合凹部
１１ｅ・・・基材
１１ｆ・・・保護膜
１１ｈ・・・ボルト孔
１２・・・・棒材（ねじ杆）
１２ａ・・・袋ナット
１３・・・・ターンバックル
１４・・・・フック
１４ａ・・・上端部
１５・・・・支持枠
１６・・・・スペーサ
１７・・・・座金
１８・・・・止め金
１９・・・・止めボルト
２３・・・・吊りロッド
２４・・・・吊り輪
９０・・・・空気ダクト
９１・・・・板状の壁材
９１ａ・・・側壁
９１ｂ・・・頂壁
９１ｃ・・・底壁
９２・・・・吊りロッド
９３・・・・支持枠
９４・・・・ボルト
【図１】
0003795316.tif 000002
【図２】
0003795316.tif 000003
【図３】
0003795316.tif 000004
【図４】
0003795316.tif 000005
【図５】
0003795316.tif 000006